(57)【要約】【課題】貼り付けられた付箋積層体から個々の付箋を容易に剥がすことが可能な付箋用基板を提供することを課題とする。【解決手段】付箋用基板１は、可撓性を有し湾曲可能であって、一端側の第１の縁部１１ｃと、他端側の第２の縁部１１ｄとを備えた基板本体１１と、この基板本体１１の第２の縁部１１ｄ側の一部を取り囲むようにスリット１５を形成し、このスリット１５に取り囲まれた部分からなり、第１の縁部１１ｃ側を向いた舌片部１３とを備えている。第２の縁部１１ｄを下方に移動させて基板本体１１を湾曲させると舌片部１３は湾曲した基板本体１１の表面から突出し、第２の縁部１１ｄを上方に移動させて基板本体１１を反対方向に湾曲させると舌片部１３は湾曲した基板本体１１の裏面から突出する。付箋積層体は、粘着部が設けられている側が基板本体１１の第１の縁部１１ｃ側に配置され、粘着部が設けられていない側が基板本体１１の第２の縁部１１ｄ側に配置される。【選択図】図１
0003162066.tif 000002
【実用新案登録請求の範囲】
【請求項１】
裏面に粘着部が設けられた付箋を複数枚積層して成る付箋積層体を貼り付けて保持するための付箋用基板において、
可撓性を有し湾曲可能であって、一端側の第１の縁部と、他端側の第２の縁部とを備えた基板本体と、この基板本体の第２の縁部側の一部を取り囲むように切り込みを形成し、この切り込みに取り囲まれた部分からなり、第１の縁部側を向いた舌片部とを備え、
前記第２の縁部を下方に移動させて前記基板本体を湾曲させると前記舌片部は湾曲した基板本体の表面から突出し、前記第２の縁部を上方に移動させて前記基板本体を反対方向に湾曲させると前記舌片部は湾曲した基板本体の裏面から突出し、
前記付箋積層体は、粘着部が設けられている側が前記基板本体の第１の縁部側に配置され、粘着部が設けられていない側が前記基板本体の第２の縁部側に配置される付箋用基板。
【請求項２】
前記切り込みは、前記付箋の前記粘着部が配置されない領域に形成されている請求項１に記載の付箋用基板。
【請求項３】
前記切り込みは、前記基板本体の第２の縁部側に位置する第１および第２の端部と、前記第１の端部から開始され前記基板本体の第１の縁部側に延び前記第２の端部に戻る延在部とを有する請求項１または２に記載の付箋用基板。
【請求項４】
当該付箋用基板に前記付箋積層体を複数個並列に貼り付けるとき、前記切り込みは、すべての前記付箋積層体の下側を通るように形成されている請求項３に記載の付箋用基板。
【請求項５】
当該付箋用基板に１個の前記付箋積層体をいずれかの位置に貼り付けるとき、前記切り込みは、前記付箋積層体の下側を通るように形成されている請求項３に記載の付箋用基板。
【請求項６】
前記切り込みは略コの字形である請求項３から５のいずれか１項に記載の付箋用基板。
【請求項７】
前記切り込みは、所定の幅を有するスリットである請求項１から６のいずれか１項に記載の付箋用基板。
【考案の詳細な説明】
【技術分野】
【０００１】
本考案は、裏面に粘着部が設けられた付箋を複数枚積層して成る付箋積層体を貼り付けて保持するための付箋用基板に関する。
【背景技術】
【０００２】
付箋は、ノート、書類、書籍等に貼り付けて、メモ、インデックス、栞等として使用され、紙製のものや樹脂製のものが知られている。このような付箋は、その裏面の一部に粘着剤を塗布して形成された粘着部を備えている。一般に、付箋は、複数枚を剥離可能に積層して付箋積層体を構成する。この付箋積層体は、基板に貼り付けて販売される場合がある。
【０００３】
従来の付箋用基板（台紙）には、長方形状の紙製や樹脂製ものがある（例えば、特許文献１参照）。この付箋用基板は、表面に付箋積層体が複数個貼り付けられる。
【先行技術文献】
【特許文献】
【０００４】
【特許文献１】特開２００５−１５３４８６（図２）
【考案の概要】
【考案が解決しようとする課題】
【０００５】
従来の付箋用基板では、付箋を貼り付ける領域が平らな平面のみからなるため、付箋用基板に貼り付けられた付箋積層体から個々の付箋を剥がし難いという問題点があった。特に、付箋積層体の厚みが少なくなると、個々の付箋を益々剥がし辛くなる。
【０００６】
本考案はこのような問題点に鑑みてなされたものであり、貼り付けられた付箋積層体から個々の付箋を容易に剥がすことが可能な付箋用基板を提供することを課題とする。
【課題を解決するための手段】
【０００７】
上記課題を解決するため、本考案は、付箋用基板が、可撓性を有し湾曲可能であって、一端側の第１の縁部と、他端側の第２の縁部とを備えた基板本体と、この基板本体の第２の縁部側の一部を取り囲むように切り込みを形成し、この切り込みに取り囲まれた部分からなり、第１の縁部側を向いた舌片部とを備えている。第２の縁部を下方に移動させて基板本体を湾曲させると舌片部は湾曲した基板本体の表面から突出し、第２の縁部を上方に移動させて基板本体を反対方向に湾曲させると舌片部は湾曲した基板本体の裏面から突出する。付箋積層体は、粘着部が設けられている側が基板本体の第１の縁部側に配置され、粘着部が設けられていない側が基板本体の第２の縁部側に配置される。このような構成により、基板本体の第２の縁部を下方に移動させることにより、付箋積層体における粘着部が設けられていない側が舌片部とともに基板本体の湾曲した表面から突出する。また、基板本体の第２の縁部を上方に移動させることにより、舌片部が基板本体の湾曲した裏面から突出し、付箋用基板がクリップとして機能することが可能となる。
【０００８】
切り込みは、付箋の粘着部が配置されない領域に形成されるのが好ましい。このような構成にすれば、付箋の粘着部は切り込みから露出しないようにすることができる。
【０００９】
また、切り込みは、基板本体の第２の縁部側に位置する第１および第２の端部と、第１の端部から出で基板本体の第１の縁部側に延び第２の端部に戻る延在部とを有するのが好ましい。このような切り込みは、付箋用基板に付箋積層体を複数個並列に貼り付けるとき、すべての付箋積層体の下側を通るように形成され、また、付箋用基板に１個の付箋積層体をいずれかの位置に貼り付けるとき、その付箋積層体の下側を通るように形成されるのが好ましい。
【００１０】
また、切り込みは、付箋の粘着部が配置されない領域（第２の縁部側）において、第２の縁部に沿った部分を除いて、この領域を取り囲むように形成され、全体がコの字形であるのが好ましい。このような構成にすれば、舌片部の面積が広くなる。
【００１１】
また、切り込みは、所定の幅を有するスリットであるのが好ましい。このような構成にすれば、基板本体の第２の縁部を下方又は上方に移動させるときに、舌片部を、隣接する基板本体の部分と接触することなく、湾曲した基板本体の表面又は裏面から突出させることができる。
【考案の効果】
【００１２】
上述したように、本考案によれば、基板本体の第２の縁部側の一部を取り囲むように切り込みを形成し、この切り込みに取り囲まれた部分からなる第１の縁部側を向いた舌片部を備え、第２の縁部の下方への移動により基板本体が湾曲しかつ舌片部が湾曲した基板本体の表面から突出し、第２の縁部の上方への移動により、付箋用基板が反対方向に湾曲しかつ舌片部が湾曲した基板本体の裏面から突出する。よって、基板本体の第２の縁部を下方に移動させることにより、付箋積層体における付箋の粘着部が設けられていない側が舌片部とともに基板本体の湾曲した表面から突出するため、付箋用基板に貼り付けられた付箋積層体から個々の付箋を容易に剥がすことができる。
【００１３】
また、基板本体の第２の縁部を上方に移動させることにより、舌片部が基板本体の湾曲した裏面から突出し、付箋用基板がクリップとして機能するようになる。このため、付箋用基板を種々の対象物に取り付けることができる。
【００１４】
また、本考案によれば、切り込みが、付箋の粘着部が配置されない領域に形成される場合、付箋の粘着部が切り込みから露出しない。このため、粘着部にごみ等が付着することなく、粘着部の粘着性を維持することできる。
【図面の簡単な説明】
【００１５】
【図１】本考案の実施の形態１における付箋用基板の全体を示す平面図である。
【図２】本考案の実施の形態１における付箋用基板の使用状態を示す斜視図であり、第２の縁部の下方への移動により基板本体が湾曲して、舌片部が湾曲した基板本体の表面から突出した状態を示す。
【図３】本考案の実施の形態１における付箋用基板の使用状態を示す斜視図であり、基板本体の第２の縁部を上方に移動させて、舌片部を基板本体の湾曲した裏面から突出させ、付箋用基板をクリップとして使用した状態を示す。
【図４】本考案の実施の形態２における付箋用基板の全体を示す平面図である。
【図５】本考案の実施の形態３における付箋用基板の全体を示す平面図である。
【考案を実施するための形態】
【００１６】
以下、本考案の実施の形態を図面を参照しながら説明する。
実施の形態１．
図１は本考案の実施の形態１による付箋用基板を示す平面図である。図２および図３は本考案の実施の形態１による付箋用基板の使用状態を示す斜視図である。
【００１７】
図１に示すように、実施の形態１による付箋用基板１は、基板本体１１と、舌片部１３とを備える。この付箋用基板１は、裏面に粘着部が設けられた付箋を複数枚積層して成る付箋積層体を貼り付けて保持するためのものである。図１では、付箋積層体が配置される位置を網掛けで示している。濃い網掛け部分Ａが付箋の粘着部が位置する部分であり、薄い網掛け部分Ｂが付箋の粘着部以外の部分が位置する部分である。
【００１８】
基板本体１１は、ポリエチレンテレフタレート（ＰＥＴ）などの樹脂製の薄板であり、全体が可撓性を有する。基板本体１１は、その外形が長方形状であって、付箋積層体が貼り付けられる表面１１ａと、その裏側の裏面と、一端側の第１の縁部１１ｃと、他端側の第２の縁部１１ｄと、これらの第１の縁部１１ｃと第２の縁部１１ｄとの間の下縁部１１ｅと上縁部１１ｆとを有する。ここでは、例えば、基板本体１１の第１および第２の縁部１１ｃ，１１ｄの長さｄ１は６９ｍｍであり、下縁部１１ｅおよび上縁部１１ｆの長さｄ２は５２ｍｍであり、厚さは０．５ｍｍである。付箋用基板１１は、付箋積層体における付箋の粘着部が配置される第１の領域１１ｇと、付箋積層体における付箋の粘着部が配置されない第２の領域１１ｈとに分割される。第１の領域１１ｇは第１の縁部１１ｃ側にあり、第２の領域１１ｈは第２の縁部１１ｄ側にある。第１の領域１１ｇと第２の領域１１ｈとの境界は第１および第２の縁部１１ｃ，１１ｄと平行である。ここでは、例えば、第１の領域１１ｇの幅ｗ１は２７ｍｍであり、第２の領域１１ｈの幅ｗ２は２５ｍｍである。
【００１９】
舌片部１３は、基板本体１１にその第２の縁部１１ｄ側の一部を取り囲むようにスリット１５を形成することにより構成される。舌片部１３は、スリット１５に取り囲まれた部分からなり第１の縁部１１ｃ側を向いている。スリット１５は、所定の幅を有する。例えば、スリット１５の幅ｗ３は４ｍｍとすることができる。スリット１５は、付箋用基板１１の第２の領域１１ｈ、すなわち、付箋積層体における付箋の粘着部が配置されない領域に形成される。このスリット１５は、第１の縁部１１ｄに沿った部分を除いて、第２の領域１１ｈを取り囲むように形成され、全体がコの字形である。このスリット１５は、第２の縁部１１ｄ側に位置する第１および第２の端部１５ａ，１５ｂと、第１の端部１５ａと第２の端部１５ｂとを結ぶ延在部１５ｃとを有する。延在部１５ｃは、第１の端部１５ａから開始され、基板本体１１の下縁部１１ｅと平行に第１の縁部１１ｃ側に向かい、第１の領域１１ｇと第２の領域１１ｈとの境界の手前まで延びる第１の部分１５ｄと、第１の領域１１ｇと第２の領域１１ｈとの境界の手前から上縁部１１ｆと平行に第２の縁部１１ｄ側に向かい、第２の端部１５ｂに戻る第２の部分１５ｅと、第１の領域１１ｇと第２の領域１１ｈとの境界の手前でその境界と平行に延び、第１の部分１５ｄと第２の部分１５ｅとを結ぶ第３の部分１５ｆとを有する。換言すれば、スリット１５は、基板本体１１の上側の第２の縁部１１ｄから離れた箇所から開始され、基板本体１１の上縁部１１ｆに沿って第１の縁部１１ｃ方向に延び、第２の領域１１ｈ内で基板本体１１の下側に向きを変えて基板本体１１の下縁部１１ｅ付近まで延び、さらにその下縁部１１ｅに沿って第１の縁部１１ｃ方向に延びて第１の縁部１１ｃの手前で終了するように形成されている。スリット１５は、付箋用基板１に貼り付けられるすべての付箋積層体の下側を通るように形成されている。これにより、付箋用基板１に貼り付けられるすべての付箋積層体が舌片部１３と重なる。
【００２０】
図２に示すように、基板本体１１の第２の縁部１１ｄを下側に移動させると、基板本体１１はその表面１１ａが凸状になるように湾曲する。このとき、舌片部１３は湾曲した基板本体１１の表面１１ａから突出する。反対に、基板本体１１の第２の縁部１１ｄを上側に移動させると、基板本体１１はその裏面が凸状になるように湾曲し、舌片部１３は湾曲した基板本体１１の裏面から突出する。
【００２１】
付箋用基板１には、裏面に粘着部が設けられた付箋を複数枚積層して成る付箋積層体が複数個並列に貼り付けられる。付箋積層体を構成する付箋は透明または半透明のフィルムから成る。付箋は、例えばポリエチレンテレフタレート（ＰＥＴ）などの樹脂製であって、その外形は長方形である。付箋の表面は、種々の筆記具による筆記が可能である。付箋の裏面には、粘着剤を塗布して形成された粘着部が設けられている。粘着部は付箋の長手方向において一方の側に設けられている。付箋の粘着部が第１の領域１１ｇに配置されるように、付箋の粘着部が設けられている側が基板本体１１の第１の縁部１１ｃ側に配置される。また、付箋の粘着部が設けられていない部分が第２の領域１１ｈに配置されるように、付箋の粘着部が設けられていない側が基板本体１１の第２の縁部１１ｄ側に配置される。
【００２２】
図１では、付箋積層体を５個貼り付ける場合を示しているが、付箋積層体の貼り付け数は５個に限らない。また、図１では、同一サイズ、同一形状の付箋を貼り付ける場合を示しているが、貼り付ける付箋のサイズや形状は異なっていてもよい。
【００２３】
次に、実施の形態１による付箋用基板１の使用方法について説明する。
付箋用基板１の表面に付箋積層体２１を複数個並列に貼り付ける。なお、図２では、２個の付箋積層体２１を貼り付ける場合を示し、図３では、５個の付箋積層体２１を貼り付ける場合を示している。
【００２４】
付箋積層体２１から付箋２１ａを剥がすとき、図２に示すように、基板本体１１の第２の縁部１１ｄを下側に移動させる。第２の縁部１１ｄの下側への移動により、基板本体１１はその表面１１ａが凸状になるように湾曲し、舌片部１３は湾曲した基板本体１１の表面１１ａから突出する。このとき、付箋積層体２１における付箋２１ａの粘着部が設けられていない側が舌片部１３とともに基板本体１１の湾曲した表面１１ａから突出する。このため、付箋積層体２１から付箋２１ａを容易に剥がすことができる。付箋用基板１に貼り付けるすべての付箋積層体２１が舌片部１３と重なるように、スリット１５が、付箋用基板１に貼り付けられるすべての付箋積層体２１の下側を通るように形成されているため、第２の縁部１１ｄの下側への移動により、すべての付箋積層体２１における付箋２１ａの粘着部が設けられていない側が舌片部１３とともに基板本体１１の湾曲した表面から突出する。舌片部１３は基板本体１１にスリット１５を形成することにより構成されるので、第２の縁部１１ｄを下側に移動させるときに、舌片部１３が、隣接する基板本体１１の部分と接触（干渉）しない。このため、小さい力で、舌片部１３を湾曲した基板本体１１の表面１１ａから突出させることができる。
【００２５】
また、基板本体１１の第２の縁部１１ｄを上側に移動させることにより、舌片部１３を基板本体１１の湾曲した裏面から突出させ、図３に示すように、付箋用基板１を、クリップとして用いて、ノート等の対象物Ｃに取り付けることができる。舌片部１３は基板本体１１にスリット１５を形成することにより構成されるので、第２の縁部１１ｄを上側に移動させるときに、舌片部１３が、隣接する基板本体１１の部分と接触（干渉）しない。このため、小さい力で、舌片部１３を湾曲した基板本体１１の裏面から突出させることができる。
【００２６】
以上のように、実施の形態１による付箋用基板１によれば、基板本体１１にスリット１５を形成することにより構成された舌片部１３を備えている。基板本体１１の第２の縁部１１ｄを下側に移動させることにより、付箋積層体における付箋の粘着部が設けられていない側が舌片部１３とともに基板本体１１の湾曲した表面１１ａから突出する。このため、付箋用基板１に貼り付けられた付箋積層体から個々の付箋を容易に剥がすことができる。また、基板本体１１の第２の縁部１１ｄを上側に移動させることにより、舌片部１３が基板本体１１の湾曲した裏面から突出し、付箋用基板がクリップとして機能する。このため、付箋用基板１を種々の対象物に取り付けることができる。したがって、使用時においては、付箋をそれを貼ろうとする書籍等の対象物の一部に装着しながら、これを剥がして所望の箇所に貼り付けることができる。
【００２７】
また、実施の形態１による付箋用基板１によれば、スリット１５は、付箋の粘着部が配置されない第２の領域１１ｈに形成されるので、付箋の粘着部がスリット１５から露出しない。このため、粘着部にごみ等が付着することなく、粘着部の粘着性を維持することできる。
【００２８】
また、実施の形態１による付箋用基板１によれば、スリット１５は、基板本体１１の第２の縁部１１ｄ側に位置する第１および第２の端部１５ａ，１５ｂと、第１の端部１５ａから出で基板本体１１の第１の縁部１１ａ側に延び第２の端部１５ｂに戻る延在部１５ｃとを有し、コの字形であるので、舌片部が長く、かつ広い。このため、付箋用基板１のクリップとして使用を安定させることができ、かつ基板本体１１の第２の縁部１１ｄを下側に移動させることにより、付箋積層体における付箋の粘着部が設けられていない側を、基板本体１１の湾曲した表面１１ａから安定して突出させることができる。
【００２９】
なお、この実施の形態１では、スリット１５がコの字形の場合について説明したが、スリット１５の形状はコの字形に限らず、弓形や山形やその他の形状であってもよい。
【００３０】
また、この実施の形態１では、スリット１５が、付箋の粘着部が配置されない第２の領域１１ｈに形成される場合について説明したが、スリット１５を第１の領域１１ｇに延ばすことも可能である。
【００３１】
また、この実施の形態１では、舌片部１３を１個設ける場合を示しているが、舌片部１３の数は１個に限らない。例えば、複数個の付箋積層体を２つのグループに分け、各グループに１個の舌片部を設けるなどの変形も可能である。
【００３２】
実施の形態２．
実施の形態１では、基板本体１１にスリット１５を形成することにより舌片部１３を構成する場合について説明したが、実施の形態２では、基板本体１１に切り込みを形成することにより舌片部を構成する場合について説明する。
【００３３】
図４は本考案の実施の形態２による付箋用基板を示す平面図である。図４では、図１と同じ構成要素には同じ符号を付している。以下、実施の形態２による付箋用基板の構成について、実施の形態１における付箋用基板１と相違する点のみを説明し、その他の構成の詳細な説明は省略する。
【００３４】
図４に示すように、実施の形態２による付箋用基板４１は、基板本体１１と、舌片部１３とを備える。舌片部１３は、基板本体１１に切り込み４５を形成することにより構成される。
【００３５】
実施の形態２による付箋用基板４１は、実施の形態１による付箋用基板１と同様に使用することができる。このため、実施の形態２による付箋用基板４１によれば、実施の形態１による付箋用基板１が奏する効果と同様の効果を奏する。
【００３６】
実施の形態３．
実施の形態１では、付箋用基板１に付箋積層体を複数個並列に貼り付ける場合について説明したが、実施の形態３では、付箋用基板１に付箋積層体を１個貼り付ける場合について説明する。
【００３７】
図５は本考案の実施の形態３による付箋用基板を示す平面図である。図５では、図１と同じ構成要素には同じ符号を付している。以下、実施の形態３による付箋用基板の構成について、実施の形態１における付箋用基板１と相違する点のみを説明し、その他の構成の詳細な説明は省略する。
【００３８】
図５に示すように、実施の形態３による付箋用基板５１には、裏面に粘着部が設けられた付箋を複数枚積層して成る付箋積層体が１個に貼り付けられる。図５では、付箋積層体が配置される位置を網掛けで示している。濃い網掛け部分が付箋の粘着部が位置する部分であり、薄い網掛け部分が付箋の粘着部以外の部分が位置する部分である。付箋用基板５１は、基板本体１１と、舌片部１３とを備える。図５では、例えば、基板本体１１の第１および第２の縁部１１ｃ，１１ｄの長さｄ１は２２ｍｍである。舌片部１３は、基板本体１１にスリット５５を形成することにより構成される。スリット５５は、付箋用基板５１に貼り付けられる１個の付箋積層体の下側を通るように形成されている。
【００３９】
実施の形態３による付箋用基板５１は、実施の形態１による付箋用基板１と同様に使用することができる。このため、実施の形態３による付箋用基板５１によれば、実施の形態１による付箋用基板１が奏する効果と同様の効果を奏する。
【００４０】
なお、上述した実施の形態３では、基板本体１１にスリット５５を形成することにより舌片部１３を構成する場合について説明したが、実施の形態２のように、基板本体１１に切り込みを形成することにより舌片部１３を構成することも可能である。
【００４１】
また、上述した実施の形態３では、１個の付箋積層体が貼り付けられる独立した付箋用基板１について説明したが、複数個の付箋用基板１を弱め線により連結した状態で構成し、使用時に弱め線で他の付箋用基板１から分離して使用する構成にすることも可能である。
【符号の説明】
【００４２】
１，４１，５１  付箋用基板
１１  基板本体
１３  舌片部
１１ａ  表面
１１ｃ  第１の縁部
１１ｄ  第２の縁部
１１ｅ  下縁部
１１ｆ  上縁部
１１ｇ  第１の領域
１１ｈ  第２の領域
１３  舌片部
１５，５５  スリット
１５ａ  第１の端部
１５ｂ  第２の端部
１５ｃ  延在部
１５ｄ  第１の部分
１５ｅ  第２の部分
１５ｆ  第３の部分
２１  付箋積層体
２１ａ  付箋
４５  切り込み
【図１】
0003162066.tif 000003
【図２】
0003162066.tif 000004
【図３】
0003162066.tif 000005
【図４】
0003162066.tif 000006
【図５】
0003162066.tif 000007